(57)【要約】      （修正有）【課題】従来技術の周波数ダイプレクサと比較して周波数ダイプレクサの複雑性を低減することである。【解決手段】１つの入力ポートと第１の出力ポート及び第２の出力ポートとを備える周波数ダイプレクサとし、２つの方向性結合器１４及び１５と、第１の周波数応答又は第２の周波数応答のいずれかを伴う一意のフィルタ１６と、第１のＴ型分配器１９及び第２のＴ型分配器４０とを具備する構成の周波数ダイプレクサとすることで、複雑性を低減している。【選択図】図２
2007151101.tif 000002
【特許請求の範囲】
【請求項１】
１つの入力ポートと、第１の出力ポート及び第２の出力ポートとを備える、周波数ダイプレクサであって、
前記周波数ダイプレクサは、前記第１の出力ポートにおける第１の周波数範囲にわたる第１の周波数応答と、第２の出力ポートにおける前記第１の周波数範囲と相補的な第２の周波数範囲にわたる別の周波数応答とを伴い、
前記周波数ダイプレクサは、２つの方向性結合器（１４及び１５）を備え、
前記２つの方向性結合器（１４及び１５）のの各々は、１つの入力ポート（１４ｉ、１５ｉ）、結合出力ポート（１４ｃｏ、１５ｃｏ）、隔離出力ポート（１４ｉｏ、１５ｉｏ）及びスルー出力ポート（１４ｃｏ、１５ｃｏ）を有し、
上流方向性結合器（１４）の前記入力ポート（１４ｉ）は前記ダイプレクサの前記入力ポート（１１）としての機能を果たし、
前記上流方向性結合器（１４）の前記隔離出力ポート（１４ｉｏ）は前記ダイプレクサの前記第２の出力ポート（１３）としての機能を果たし、
下流方向性結合器（１５）の前記スルー出力ポート（１５ｔｏ）は短絡適合インピーダンス（１８）によって供給がなされ、
前記結合出力ポート（１５ｃｏ）は前記ダイプレクサの前記第１の出力ポート（１２）としての機能を果たす
周波数ダイプレクサにおいて、
前記周波数ダイプレクサは、前記第１の周波数応答又は前記第２の周波数応答のいずれかを伴う一意のフィルタ（１６）と、第１のＴ型分配器（１９）及び第２のＴ型分配器（４０）とを備え、
前記上流方向性結合器（１４）の前記スルー出力ポート（１４ｔｏ）及び前記結合出力ポート（１４ｃｏ）は、前記第１のＴ型分配器（１９）の２つのポートにそれぞれ接続され、
前記第１のＴ型分配器（１９）の第３のポートは、前記フィルタ（１６）の出力ポート（１６ｏ）に接続され、
前記フィルタ（１６）の入力ポート（１６ｉ）は、前記第２のＴ型分配器（４０）の第１のポートに接続され、
前記第２のＴ型分配器（４０）の２つのポートは、前記下流結合器（１５）の前記入力ポート（１５ｉ）と前記隔離出力ポート（１５ｉｏ）とにそれぞれ接続される
ことを特徴とする、周波数ダイプレクサ。
【請求項２】
１つの入力ポートとＮ個の出力ポート（ＤＳ１〜ＤＳＮ）とを有する周波数合分波装置であって、
前記装置は一連のＮ−１個のダイプレクサを具備し、
各ダイプレクサ（１０ｎ）は、帯域通過出力ポート（１２ｎ）と帯域阻止出力ポート（１３ｎ）とを有する帯域通過／帯域阻止フィルタとしての機能を果たし、
各ダイプレクサ（１０ｎ）の前記帯域通過出力ポート（１２ｎ）は前記装置の出力ポート（ＤＳｎ）に接続され、
前記一連のダイプレクサのうちの最後のダイプレクサ（１０Ｎ）を除いて、各ダイプレクサ（１０ｎ）の前記帯域阻止出力ポート（１３ｎ）は、前記一連のダイプレクサにおいて後続するダイプレクサ（１０ｎ＋１）の入力ポート（１１ｎ＋１）に接続され、
前記一連のダイプレクサのうちの最初のダイプレクサ（１０１）の入力ポート（１１１）は、前記装置の前記入力ポート（ＤＵ）に接続され、
ダイプレクサ（１０ｎ）がその帯域通過出力ポート（１２ｎ）を通過させる帯域は、前のダイプレクサ（１０ｎ−１）がその帯域阻止出力ポート（１３ｎ−１）を通過させる帯域内に含まれる
周波数合分波装置において、
前記ダイプレクサ（１０ｎ）は請求項１に記載の周波数ダイプレクサであることを特徴とする、周波数合分波装置。
【請求項３】
１つの入力ポートとＮ個の出力ポート（ＤＳ１〜ＤＳＮ）とを有する周波数合分波装置であって、
前記装置は第１のダイプレクサ（１００）を具備し、
前記第１のダイプレクサ（１００）の入力ポート（１０１）は前記装置（Ｄ）の前記入力ポート（ＤＵ）に接続され、
前記第１のダイプレクサ（１００）の２つの出力ポート（１０２及び１０３）は、２つの第２のダイプレクサ（２１０及び２２０）の入力ポート（２１１及び２２１）にそれぞれ接続され、
前記２つの第２のダイプレクサ（２１０及び２２０）の出力ポート（２１２、２１３、２２２、２２３）は、前記装置（Ｄ）の前記４つの出力ポート（ＤＳ１〜ＤＳ４）にそれぞれ接続され、
前記第１のダイプレクサ（１００）は帯域通過／帯域阻止フィルタとしての機能を果たし、
前記２つの第２のダイプレクサ（２１０及び２２０）は低域通過／高域通過フィルタとしての機能を果たす
周波数合分波装置において、
前記ダイプレクサ（１０ｎ）は請求項１に記載の周波数ダイプレクサであることを特徴とする、周波数合分波装置。
【発明の詳細な説明】
【技術分野】
【０００１】
本発明は、第１の出力ポートにおいて第１の周波数範囲にわたる所与の周波数応答を有し、第２の出力ポートにおいて第１の周波数範囲と相補的な第２の周波数範囲にわたる別の周波数応答を有する周波数ダイプレクサに関する。たとえば、本発明による周波数ダイプレクサは、帯域通過フィルタリングされた信号のための第１の出力ポートと帯域阻止された信号のための第２の出力ポートとを有する帯域通過／帯域阻止フィルタとしての機能を果たす。さらに、こうした周波数ダイプレクサは、マイクロ波技術、たとえばマイクロストリップ技術で作成される。
【０００２】
以下の説明では、信号が入力ポートから出力ポートにのみ伝播する装置の説明となるような可能性がある「入力」及び「出力」という用語を使用するが、そうではなく、本発明の上記装置は、一方向（信号が入力ポートから出力ポートに伝播する）又は他の方向（信号が出力ポートから入力ポートに伝播する）のいずれかで作用するように意図されている、ということが理解されなければならない。
【０００３】
図１は、従来技術によって知られているような周波数ダイプレクサ１０を示す。こうした周波数ダイプレクサは、１つの入力ポート１１と２つの出力ポート１２及び１３とを有する。それは、２つの方向性結合器１４及び１５を備え、図２の左の方向性結合器１４は上流方向性結合器と呼ばれ、右の方向性結合器１５は下流方向性結合器と呼ばれる。各方向性結合器１４、１５は、１つの入力ポート１４ｉ、１５ｉと、一般に結合ポート(coupled port)１４ｃｏ、１５ｃｏ、隔離ポート(isolated port)１４ｉｏ、１５ｉｏ及びスルーポート(through port)１４ｔｏ、１５ｔｏと呼ばれる３つの出力ポートとを有する。上流方向性結合器１４の入力ポート１４ｉは、周波数ダイプレクサ１０の入力ポート１１としての機能を果たす。アップリンク方向性結合器１４の隔離出力ポート１４ｉｏは、周波数ダイプレクサ１０の第２の出力ポート１３としての機能を果たす。アップリンク方向性結合器１４のスルー出力ポートｔｏは、第１のフィルタ１６の出力ポート１６ｏに接続されており、第１のフィルタ１６の入力ポート１６ｉは、下流方向性結合器１５の入力ポート１５ｉに接続されている。上流方向性結合器１４の結合出力ポート１４ｃｏは、第２のフィルタ１７の入力ポート１７ｉに接続されており、第２のフィルタ１７の出力ポート１７ｏは、下流方向性結合器１５の隔離出力ポート１５ｉｏに接続されている。下流方向性結合器１５のスルー出力ポート１５ｔｏは、短絡適合インピーダンス（short-circuited adapting impedance）１８によって供給がなされる。上流方向性結合器１５の結合出力ポート１５ｃｏは、周波数ダイプレクサ１０の第１の出力ポート１２としての機能を果たす。
【０００４】
ダイプレクサ１０の２つの結合器１４及び１５は方向性結合器、たとえばランゲ結合器(Lange coupler)である。各方向性結合器のスルー出力ポート１４ｔｏ、１５ｔｏか又は結合出力ポート１４ｃｏ、１５ｃｏのいずれかにおける各信号は、入力ポートに対して３ｄＢファクタだけ減衰され、これらの２つの出力ポートにおける信号の間の位相差はπ／２である。
【０００５】
なお、使用される用語はランゲ結合器のものであるが、結合器は別のタイプのものであってもよい、ということが理解されなければならない。
【０００６】
周波数ダイプレクサ１０の２つのフィルタ１６及び１７は同じである。図１に示す周波数ダイプレクサ１０は、第１の出力ポート、たとえばポート１２における第１の周波数範囲にわたる所与の周波数応答と、第２の出力ポート、たとえばポート１３における第１の周波数範囲と相補的な第２の周波数範囲にわたる別の周波数応答と、を伴う。フィルタ１６及び１７は、帯域通過フィルタであってもよく、それにより周波数ダイプレクサ１０は帯域通過／帯域阻止フィルタとしての機能を果たす（一方の出力ポート１２は帯域通過フィルタリングされた信号のためのものであり、他方の出力ポート１３は帯域阻止フィルタリングされた信号のためのものである）。それらは帯域阻止フィルタであってもよく、それでもなお周波数ダイプレクサ１０は帯域通過／帯域阻止フィルタとしての機能を果たす。それらは高域通過フィルタであっても低域通過フィルタであってもよく、それによって周波数ダイプレクサ１０は低域通過／高域阻止フィルタとしての機能を果たす。
【０００７】
こうしたダイプレクサは、効率的に作用するために、その２つのフィルタが正確に整合されることが必要であり、この整合は、一般に、ダイプレクサの複雑性を増大することに解決法を見出す厄介な作業となる。
【０００８】
【特許文献１】米国特許第５１５５７２４号明細書（第３欄１行目〜第４欄２３行目、第１図）
【特許文献２】米国特許第６０２０７９５号明細書（第３欄２０行目〜４０行目、第４図）
【特許文献３】米国特許第５０５８１９８号明細書（第４欄５５行目〜第５欄１６行目、第２図）
【０００９】
本発明の目的は、これとは逆に、図１に示すタイプの従来技術の周波数ダイプレクサと比較して周波数ダイプレクサの複雑性を低減することである。
【００１０】
この目的は、入力ポートと第１の出力ポート及び第２の出力ポートとを備える周波数ダイプレクサであって、第１の出力ポートにおける第１の周波数範囲にわたる第１の周波数応答と、第２の出力ポートにおける第１の周波数範囲と相補的な第２の周波数範囲にわたる別の周波数応答とを伴う、周波数ダイプレクサを提供することによって達成される。本発明によれば、上記周波数ダイプレクサは、２つの方向性結合器であって、その各々は、１つの入力ポート、結合出力ポート、隔離出力ポート及びスルー出力ポートを有し、上流方向性結合器の入力ポートは当該ダイプレクサの入力ポートとしての機能を果たし、上流方向性結合器の隔離出力ポートは当該ダイプレクサの第２の出力ポートとしての機能を果たし、下流方向性結合器のスルー出力ポートは短絡適合インピーダンスによって供給がなされ、結合出力ポートは当該ダイプレクサの第１の出力ポートとしての機能を果たす、２つの方向性結合器と、
第１の周波数応答又は第２の周波数応答のいずれかを伴う一意のフィルタ、並びに第１のＴ型分配器(T splitter)及び第２のＴ型分配器であって、上流方向性結合器のスルー出力ポート及び結合出力ポートは第１のＴ型分配器の２つのポートにそれぞれ接続され、第１のＴ型分配器の第３のポートは、フィルタの出力ポートに接続され、フィルタの入力ポートは第２のＴ型分配器の第１のポートに接続され、第２のＴ型分配器の２つのポートは、下流結合器の入力ポートと隔離出力ポートとにそれぞれ接続される、一意のフィルタ、並びに第１のＴ型分配器及び第２のＴ型分配器とを具備する。
【００１１】
本発明はまた、１つの入力ポートとＮ個の出力ポートとを有する周波数合分波装置(frequency multiplexing-demultiplexing device)であって、一連のＮ−１個のダイプレクサを具備し、各ダイプレクサは、帯域通過出力ポートと帯域阻止出力ポートとを有する帯域通過／帯域阻止フィルタとしての機能を果たし、
各ダイプレクサの帯域通過出力ポートは当該装置の出力ポートに接続され、
一連のダイプレクサのうちの最後のダイプレクサを除いて、各ダイプレクサの帯域阻止出力ポートは、一連のダイプレクサにおいて後続するダイプレクサの入力ポートに接続され、
一連のダイプレクサのうちの最初のダイプレクサの入力ポートは、当該装置の入力ポートに接続され、
ダイプレクサがその帯域通過出力ポートを通過させる帯域は、前のダイプレクサがその帯域阻止出力ポートを通過させる帯域内に含まれ、
上記ダイプレクサは、上述したような本発明による周波数ダイプレクサである、周波数合分波装置に関する。
【００１２】
本発明はまた、１つの入力ポートとＮ個の出力ポートとを有する周波数合分波装置であって、第１のダイプレクサを具備し、その第１のダイプレクサの入力ポートは当該装置の入力ポートに接続され、第１のダイプレクサの２つの出力ポートは、２つの第２のダイプレクサの入力ポートにそれぞれ接続され、２つの第２のダイプレクサの出力ポートは、当該装置の４つの出力ポートにそれぞれ接続され、第１のダイプレクサは帯域通過／帯域阻止フィルタとしての機能を果たし、２つの第２のダイプレクサは低域通過／高域通過フィルタとしての機能を果たし、上記ダイプレクサは、上述したような本発明による周波数ダイプレクサである、周波数合分波装置に関する。
【００１３】
上述した本発明の特徴は、他の特徴とともに、添付図面に関連して提供する以下の説明を読むことによってより明確になるであろう。
【００１４】
ここで、図２に関連して、本発明による周波数ダイプレクサについて説明する。従来技術の周波数ダイプレクサと同様に、それは、１つの入力ポート１１と２つの出力ポート１２及び１３とを有する。それは、２つの方向性結合器１４及び１５を備え、それらの各々は、１つの入力ポート１４ｉ、１５ｉと、３つの出力ポート、すなわち結合ポート１４ｃｏ、１５ｃｏ、隔離ポート１４ｉｏ、１５ｉｏ及びスルーポート１４ｔｏ、１５ｔｏとを有する。上流方向性結合器１４の入力ポート１４ｉは、ダイプレクサ１０の入力ポート１１としての機能を果たし、隔離出力ポート１４ｉｏは、ダイプレクサ１０の第２の出力ポート１３としての機能を果たす。下流方向性結合器１５のスルー出力ポート１５ｔｏは、短絡適合インピーダンス１８によって供給がなされ、結合出力ポート１５ｃｏは、ダイプレクサ１０の第１の出力ポート１２としての機能を果たす。
【００１５】
本発明によれば、上流方向性結合器１４のスルー出力ポート１４ｔｏ及び結合出力ポート１４ｃｏは、第１のＴ型分配器１９の２つのポートにそれぞれ接続されており、このＴ型分配器１９の第３のポートは、一意の（unique）フィルタ１６の出力ポート１６ｏに接続されている。フィルタ１６の入力ポート１６ｉは、第２のＴ型分配器４０の第１のポートに接続されており、Ｔ型分配器４０の２つのポートは、下流結合器１５の入力ポート１５ｉと隔離出力ポート１５ｉｏとにそれぞれ接続されている。
【００１６】
従来技術におけるように整合されなければならない２つのフィルタの代りに一意のフィルタ１６と２つのＴ型分配器１８及び４０とを使用することにより、従来技術によるダイプレクサと比較して周波数ダイプレクサの複雑性が低減することが理解される。
【００１７】
ダイプレクサ１０を、マイクロストリップ技術に従って作成することができる。このため、ダイプレクサの各要素間のラインをマイクロストリップラインとすることができる。そのため、各要素は、マイクロストリップ要素、たとえばランゲ方向性結合器（Lange directional coupler）、マイクロストリップ分配器１９及び結合ラインフィルタであってもよい。
【００１８】
図２に示す周波数ダイプレクサ１０等、本発明による周波数ダイプレクサを、１つの入力ポートと少なくとも２つの出力ポートとを有する周波数合分波装置で使用することができる。こうした装置は、入力信号の周波数に応じて、入力ポートから複数の出力ポートに向かって電磁エネルギを送り出すデマルチプレクサ(demultiplexer)としての機能を果たすことができ、逆に、上記複数の出力ポートから入力ポートに向かって電磁エネルギを併合するマルチプレクサとしての機能を果たすことができる。
【００１９】
図３は、本発明の第１の実施形態による周波数合分波装置Ｄを示す。それは、第１の周波数ダイプレクサ１００を備え、第１の周波数ダイプレクサ１００の入力ポート１０１は装置Ｄの入力ポートＤＵに接続されており、第１の周波数ダイプレクサ１００の出力ポート１０２及び１０３は、２つの第２の周波数ダイプレクサ２１０及び２２０の入力ポート２１１及び２２１にそれぞれ接続されている。図３に示す合分波装置は４出力ポート装置であるため、２つの第２のダイプレクサ２１０及び２２０の出力ポート２１２、２１３、２２２、２２３は、装置Ｄの４つの出力ポートＤＳ１〜ＤＳ４にそれぞれ接続されている。第１のダイプレクサ１００は、概して、帯域通過フィルタリングされた信号のための出力ポート、たとえばポート１０２と、帯域阻止された信号のための別の出力ポート、たとえばポート１０３とを備えた帯域通過／帯域阻止フィルタとしての機能を果たす。２つの第２のダイプレクサ２１０及び２２０については、それらは、低域通過フィルタリングされた信号のための出力ポート、たとえばポート２１２、２２２と、高域通過フィルタリングされた信号のための別のポート、たとえばポート２１３、２２３とを備えた低域通過／高域通過フィルタとしての機能を果たす。
【００２０】
第１のダイプレクサ１００並びに第２のダイプレクサ２１０及び２２０は、概して、図２に示すもの、及び図３のそれぞれのダイプレクサの内部に細線で見ることができるものと同じ構造を有する。それらは、１つのフィルタのみを収容し、ダイプレクサ１００のフィルタは、帯域通過フィルタか又は帯域阻止フィルタのいずれかであり、ダイプレクサ２１０及び２２０のフィルタは、低域通過フィルタ又は高域通過フィルタのいずれかである。
【００２１】
図２に関連して説明したような本発明の第１の実施形態による周波数合分波装置の特性を、以下の表Ｉに示す。
【００２２】
【表１】
2007151101.tif 000003
【００２３】
結果としての帯域を、その帯域が現われる、関連するダイプレクサのポートの参照とともに図５ａに示す。細線は、関連するフィルタの応答を表す。なお、３．１ＧＨｚ及び４．１ＧＨｚのカットオフ周波数を得るために、低域通過フィルタ及び高域通過フィルタが必要とされる可能性がある（それらを点線で表す）。
【００２４】
ここで、図４に関連して、本発明による周波数合分波装置Ｄの別の実施形態について説明する。この実施形態により、先の実施形態のフィルタの次数(order)より低い次数のフィルタを使用することが可能になる。
【００２５】
周波数合分波装置Ｄは、Ｎ個の出力ポート（図４では、Ｎ＝４）を有する。一般に、こうした装置Ｄは、カスケードされる一連のダイプレクサ１０１〜１０Ｎ−１（ここでは１０１〜１０３）を備え、すなわち、ダイプレクサ１０ｎ（ｎ＝１、２、…、Ｎ−２）の出力ポート１３ｉは、一連のダイプレクサにおける後続するダイプレクサ１０ｎ＋１の入力ポート１１ｎ＋１に接続される。より詳細には、図３において、ダイプレクサ１０１の出力ポート１３１はダイプレクサ１０２の入力ポート１１２に接続され、ダイプレクサ１０２の出力ポート１３２はダイプレクサ１０３の入力ポート１１３に接続される。一連のダイプレクサの最初のダイプレクサ１０１の入力ポート１１１は、本発明による周波数合分波装置Ｄの入力ポートＤＵを構成する。それぞれのダイプレクサ１０ｎ（ｎ＝１〜Ｎ−１）の出力ポート１２ｉは、装置Ｄの出力ポートＤＳｉを構成する。一連のダイプレクサにおける最後のダイプレクサ１０Ｎ−１の出力ポート１３Ｎ−１は、装置Ｄの出力ポートＤＳＮ（図４ではＮ＝４）を構成する。
【００２６】
各ダイプレクサ１０ｎ（ｎ＝１〜Ｎ−１）は、図２に示す構造を呈する。しかしながら、本実施形態を考慮する場合、幾分かの正確さ(precisions)を持ち込む必要がある。本発明による装置Ｄの各ダイプレクサ１０ｎは、帯域通過／帯域阻止フィルタとしての機能を果たし、すなわち、帯域通過フィルタリングされた信号のための出力ポート１２ｎ（ここでは対応する出力ポート１２ｎは帯域通過出力ポートと呼ばれる）と、帯域阻止された信号のための他方の出力ポート１３ｎ（ここでは対応する出力ポート１３ｎは帯域阻止出力ポートと呼ばれる）とを有する。この目的のために、図２において１６として参照する各ダイプレクサ１０ｎのフィルタは、帯域通過フィルタか又は帯域阻止フィルタである。
【００２７】
なお、フィルタ１６がノッチフィルタ又は帯域阻止フィルタである場合、帯域通過出力ポートはポート１３ｎとなり、帯域阻止出力ポートはポート１２ｎとなり、図４において２つのポート１２ｎ及び１３ｎを入れ替えなければならない。
【００２８】
本発明によれば、ダイプレクサ１０ｎの帯域通過フィルタリングされた信号のための帯域通過出力ポート１２ｎは、装置Ｄの出力ポートＤＳｎを構成し、ダイプレクサ１０ｎの帯域阻止された信号のための帯域阻止出力ポート１３ｎは、装置Ｄの最後の出力ポートＤＳＮを構成する最後のダイプレクサ１０Ｎを除き、一連のダイプレクサにおける後続するダイプレクサ１０ｎ＋１の入力ポート１１ｎ＋１に接続される。
【００２９】
本発明によれば、ダイプレクサ１０ｎが帯域通過フィルタリングされた信号のためのその帯域通過出力ポート１２ｎを通過させる帯域は、前のダイプレクサ１０ｎ−１が帯域阻止された信号のためのその帯域阻止出力ポート１３ｎ−１を通過させる帯域内に含まれる。
【００３０】
本発明によれば、出力ポートＤＳ１、ＤＳ２、ＤＳ３及びＤＳ４における帯域はオーバラップしない。
【００３１】
フィルタの次数が同じ場合、帯域通過フィルタ又はノッチフィルタは、周波数の関数において、高域通過フィルタ又は低域通過フィルタより急峻な減衰を示すため、帯域がオーバラップしない挙動が同じである場合、本発明のその実施形態による周波数合分波装置が必要とするフィルタは、図２に示すもののような先の実施形態の周波数合分波装置より次数が低い。
【００３２】
先の実施形態に比較した本発明の別の利点は、必要なフィルタすべての帯域幅が、同じであり、且つ、２つの連続した帯域の間の幅に等しいという事実にある。これに対し、先の実施形態の装置のフィルタの場合は、入力ダイプレクサのフィルタの帯域幅はその出力フィルタの帯域幅のほぼ２倍であり、大部分の出力フィルタの帯域幅が２つの連続した帯域の間の幅に等しい。帯域幅が低いほどフィルタの次数は低いため、また、本実施形態の装置には、他のフィルタの帯域幅より広い帯域幅を呈するフィルタがないため、この実施形態は、上述した装置より複雑性が低い。
【００３３】
図４に関連して説明した第２の実施形態による周波数合分波装置の特徴を、以下の表ＩＩに示す。
【００３４】
【表２】
2007151101.tif 000004
【００３５】
チェビシェフ（Chebyshev）フィルタの代りに、楕円フィルタ(elliptic filter)を使用することも可能である。従来技術による周波数合分波装置の場合、フィルタの次数は、それぞれ、帯域通過フィルタの場合は５であり、低域通過フィルタ又は高域通過フィルタの場合は７であるが、本発明による周波数合分波装置の場合、すべてのフィルタの次数は３に下がる。
【図面の簡単な説明】
【００３６】
【図１】従来技術によるダイプレクサの構造を示す図である。
【図２】本発明によるダイプレクサの構造を示す図である。
【図３】本発明の第１の実施形態による周波数合分波装置を示す図である。
【図４】本発明の第２の実施形態による周波数合分波装置を示す図である。
【図５ａ】図３に示す本発明の実施形態の周波数合分波装置の原理を示す図である。
【図５ｂ】図４に示す本発明の実施形態の周波数合分波装置の原理を示す図である。
【図１】
2007151101.tif 000005
【図２】
2007151101.tif 000006
【図３】
2007151101.tif 000007
【図４】
2007151101.tif 000008
【図５ａ】
2007151101.tif 000009
【図５ｂ】
2007151101.tif 000010
【外国語明細書】
2007151101.tif 000011
2007151101.tif 000012
2007151101.tif 000013
2007151101.tif 000014
2007151101.tif 000015
2007151101.tif 000016
2007151101.tif 000017
2007151101.tif 000018
2007151101.tif 000019
2007151101.tif 000020
2007151101.tif 000021
2007151101.tif 000022
2007151101.tif 000023
2007151101.tif 000024
2007151101.tif 000025
2007151101.tif 000026
2007151101.tif 000027
2007151101.tif 000028
2007151101.tif 000029